(57)【特許請求の範囲】
【請求項１】
放送受信装置と通信を行う通信手段と、機能ボタンを表示するタッチパネル手段とを備え、前記機能ボタンの操作を前記通信手段を介して前記放送受信装置に通知するリモコン装置であって、
前記機能ボタンと放送チャンネルとの対応を示す対応情報に基づいて各前記放送チャンネルを特徴的に識別する放送チャンネル情報を生成する放送チャンネル情報生成手段をさらに備え、
前記タッチパネル手段は、各前記放送チャンネル情報を対応の各前記機能ボタンに重畳して表示させ、
前記通信手段は、前記対応情報を前記放送受信装置から受信することを特徴とする、リモコン装置。
【請求項２】
前記放送チャンネル情報は、ロゴを含むことを特徴とする、請求項１に記載のリモコン装置。
【請求項３】
前記機能ボタンを含むオリジナルのリモコンイメージであるオリジナルリモコンイメージを生成するオリジナルイメージ生成手段と、
前記オリジナルイメージ生成手段にて生成された前記オリジナルリモコンイメージに対して、前記放送チャンネル情報生成手段にて生成された前記放送チャンネル情報を重畳させたリモコンイメージを生成する放送チャンネル情報重畳手段と、
をさらに備えることを特徴とする、請求項１または２に記載のリモコン装置。
【請求項４】
前記リモコン装置は、前記通信手段を介して前記放送受信装置に対して前記対応情報の取得を要求する対応情報取得要求を送信することを特徴とする、請求項１ないし３のいずれかに記載のリモコン装置。
【請求項５】
前記機能ボタンは、放送のネットワーク種別を選択するネットワーク選択ボタンを含み、
前記リモコン装置は、前記通信手段を介して前記対応情報取得要求とともに前記ネットワーク選択ボタンによって選択された前記ネットワーク種別の情報を付加して前記放送受信装置に送信し、前記通信手段を介して当該放送受信装置から前記ネットワーク種別の情報に対応する前記対応情報を受信することを特徴とする、請求項４に記載のリモコン装置。
【請求項６】
前記リモコン装置は、前記通信手段を介して前記対応情報に変更があったことを通知する対応情報変更通知を受信すると、前記通信手段を介して前記放送受信装置に対して前記対応情報取得要求を送信することを特徴とする、請求項４または５に記載のリモコン装置。
【請求項７】
前記機能ボタンは、視聴可能な前記放送チャンネルを順送りに選局するチャンネルアップボタンと、視聴可能な前記放送チャンネルを逆送りに選局するチャンネルダウンボタンとを含み、
前記タッチパネル手段は、各前記放送チャンネル情報を対応の前記チャンネルアップボタンおよび前記チャンネルダウンボタンに重畳して表示することを特徴とする、請求項１ないし６のいずれかに記載のリモコン装置。
【請求項８】
前記リモコン装置は、前記通信手段を介して前記対応情報とともに前記放送チャンネルに対応する付加情報を前記放送受信装置から受信すると、
前記タッチパネル手段は、各前記放送チャンネル情報および各前記付加情報を対応の各前記機能ボタンに重畳して表示することを特徴とする、請求項１ないし７のいずれかに記載のリモコン装置。
【請求項９】
前記付加情報に変更があった場合において、
前記タッチパネル手段は、変更された前記付加情報を表示することを特徴とする、請求項８に記載のリモコン装置。
【請求項１０】
前記付加情報は、前記放送チャンネルの受信信号強度であることを特徴とする、請求項８または９に記載のリモコン装置。
【請求項１１】
前記放送受信装置が系列の存在する放送チャンネルを受信している場合において、
前記タッチパネル手段は、現に受信している放送チャンネルに代えてその系列の放送チャンネルの前記放送チャンネル情報を重畳して表示することを特徴とする、請求項１ないし１０のいずれかに記載のリモコン装置。
【請求項１２】
前記タッチパネル手段は、前記対応情報の変更が可能な対応情報変更画面を表示し、当該対応情報変更画面で前記対応情報の変更を行うことを特徴とする、請求項１ないし１１のいずれかに記載のリモコン装置。
【請求項１３】
請求項１ないし１２のいずれかに記載の前記リモコン装置と、
前記リモコン装置による操作の通知を受信する前記放送受信装置と、
を備える、放送チャンネル選択システム。
【発明の詳細な説明】
【技術分野】
【０００１】
本発明は、放送チャンネルを受信する放送受信装置に対して放送チャンネルの選局指示を行うリモコン装置、および当該リモコン装置および放送受信装置を備える放送チャンネル選択システムに関する。
【背景技術】
【０００２】
近年、ディスプレイを指などで触れることにより操作可能なタッチパネル機能を備えた携帯情報端末が普及しつつある。このような携帯情報端末では、ディスプレイ部に表示されたボタン（ボタンの画像）をユーザが触れて選択すると、選択したボタンに応じた機能が提供される。その特色を活かして、リモコン装置を模したユーザインタフェースをディスプレイに表示し、そのボタンに触れることによって放送チャンネルを受信する放送受信装置を操作することが可能なアプリケーションも登場している。
【０００３】
一方、放送受信装置の操作に用いる一般的なリモコン装置は、放送チャンネルの選択に使用する数字ボタンを備えているが、数字ボタンを選択したときに放送受信装置が選局する放送チャンネル（以下、割り当てチャンネルとも称する）に関する情報を表示する情報表示部を有していない。そのため、ユーザは、数字ボタンを選択する際に、どの放送チャンネルのどのような番組が数字ボタンに対応しているのかを知ることができなかった。
【０００４】
従来、数字ボタンをカラー点灯させる発光装置を有し、放送受信装置から受信した番組分類情報に基づいて分類ごとに所定の色で数字ボタンをカラー点灯させる技術がある（例えば、特許文献１参照）。
【０００５】
また、放送受信装置から受信した電子番組ガイド（ＥＰＧ）情報をリモコン送信機に表示させることにより、ＥＰＧ情報の表示とリモコン送信機のキーとに対する目の移動距離を短くすることによって操作性を向上させる技術がある（例えば、特許文献２参照）。
【０００６】
なお、以下では、リモコン装置の各数字ボタンと割り当てチャンネル（放送チャンネル）との対応を示す対応情報を少なくとも含んだ情報をチャンネルマップとも称し、チャンネルマップの情報をチャンネルマップ情報と称する。
【先行技術文献】
【特許文献】
【０００７】
【特許文献１】特開２００８−７２５５７号公報
【特許文献２】特開平１１−３１７８８５号公報
【発明の概要】
【発明が解決しようとする課題】
【０００８】
特許文献１では、リモコン装置の各数字ボタンで選局可能な番組の分類を把握することはできるが、リモコン装置のチャンネルマップを知ることができなかった。また、特許文献１の手法では、また、番組が終了したときなどに番組情報を更新するべきタイミングについて全く考慮されていない。
【０００９】
また、チャンネルマップは地域によって変わり得る。すなわち、異なる地域で同じ数字ボタンを選択したとしても、必ずしも同系列の放送局の放送チャンネルを選局できるとは限らない。そのため、ユーザが初めて行く地域で放送受信装置を使用する場合において、どの数字ボタンを押すとどの放送チャンネルが選局されるのかをリモコン装置を見るだけでは容易に判断することができない。
【００１０】
また、リモコン装置のチャンネルマップは、ユーザが自由に設定できる場合が多い。すなわち、１つのリモコン装置を複数人が使用し、あるユーザがリモコン装置のチャンネルマップを変更した場合において、他のユーザがリモコン装置の数字ボタンを選択すると想定していない放送チャンネルが選局されることになり不便である。
【００１１】
また、特許文献２では、ＥＰＧ情報を表示するための表示領域が必要となり、リモコン装置上の表示の視認性が低下する。さらに、ＥＰＧ情報はデータ量が大きいため、通信時やデータ処理時の負荷が大きくなる。
【００１２】
本発明は、これらの問題を解決するためになされたものであり、どの数字ボタンにどの放送チャンネルが割り当てられているのかを見るだけで容易に把握することが可能なリモコン装置および放送チャンネル選択システムを提供することを目的とする。
【課題を解決するための手段】
【００１３】
上記の課題を解決するために、本発明によるリモコン装置は、放送受信装置と通信を行う通信手段と、機能ボタンを表示するタッチパネル手段とを備え、機能ボタンの操作を通信手段を介して放送受信装置に通知するリモコン装置であって、機能ボタンと放送チャンネルとの対応を示す対応情報に基づいて各放送チャンネルを特徴的に識別する放送チャンネル情報を生成する放送チャンネル情報生成手段をさらに備え、タッチパネル手段は、各放送チャンネル情報を対応の各機能ボタンに重畳して表示させ、通信手段は、対応情報を放送受信装置から受信することを特徴とする。
【発明の効果】
【００１４】
本発明によると、放送受信装置と通信を行う通信手段と、機能ボタンを表示するタッチパネル手段とを備え、機能ボタンの操作を通信手段を介して放送受信装置に通知するリモコン装置であって、機能ボタンと放送チャンネルとの対応を示す対応情報に基づいて各放送チャンネルを特徴的に識別する放送チャンネル情報を生成する放送チャンネル情報生成手段をさらに備え、タッチパネル手段は、各放送チャンネル情報を対応の各機能ボタンに重畳して表示させ、通信手段は、対応情報を放送受信装置から受信するため、どの数字ボタンにどの放送チャンネルが割り当てられているのかを見るだけで容易に把握することが可能となる。
【図面の簡単な説明】
【００１５】
【図１】本発明の実施形態１による放送チャンネル選択システムの構成を示すブロック図である。
【図２】本発明の実施形態１によるリモコン装置の表示部に表示されるリモコンイメージの一例を示す図である。
【図３】本発明の実施形態１によるリモコン装置におけるチャンネルマップ情報取得の処理動作を示すフローチャートである。
【図４】本発明の実施形態１による放送受信装置におけるチャンネルマップ情報送信の処理動作を示すフローチャートである。
【図５】本発明の実施形態１によるリモコン装置と放送受信装置との間で行われる情報のやり取りを示すシーケンス図である。
【図６】本発明の実施形態１によるチャンネルマップ情報生成部にて生成されるチャンネルマップ情報の一例を示す図である。
【図７】本発明の実施形態２によるリモコン装置の表示部に表示されるリモコンイメージの一例を示す図である。
【図８】本発明の実施形態２によるチャンネルマップ情報生成部にて生成されるチャンネルマップ情報の一例を示す図である。
【図９】本発明の実施形態２によるリモコン装置の処理動作を示すフローチャートである。
【図１０】本発明の実施形態３による放送チャンネル選択システムの構成を示すブロック図である。
【図１１】本発明の実施形態３によるチャンネルマップ情報生成部にて生成されるチャンネルマップ情報の一例を示す図である。
【図１２】本発明の実施形態３による受信信号強度取得部の処理動作を示すフローチャートである。
【図１３】本発明の実施形態４による放送チャンネル選択システムの構成を示すブロック図である。
【図１４】本発明の実施形態４によるリモコン装置の処理動作を示すフローチャートである。
【図１５】本発明の実施形態４によるチャンネルマップ情報の置き換えの一例を示す図である。
【図１６】本発明の実施形態５による放送チャンネル選択システムの構成を示すブロック図である。
【図１７】本発明の実施形態５によるリモコン装置の表示部に表示されるチャンネルマップ変更画面の一例を示す図である。
【図１８】本発明の実施形態５によるリモコン装置の表示部に表示されるチャンネルマップ変更画面の一例を示す図である。
【発明を実施するための形態】
【００１６】
本発明の実施形態について、図面に基づいて以下に説明する。
【００１７】
〈実施形態１〉
図１は、本発明の実施形態１による放送チャンネル選択システムの構成を示すブロック図である。図１に示すように、本実施形態１による放送チャンネル選択システムは、リモコン装置１と放送受信装置２とを備えている。なお、本実施形態１では、放送受信装置２はデジタル放送受信装置であるものとして説明する。
【００１８】
リモコン装置１は、放送受信装置２との間で通信を行う通信部１０１（通信手段）と、放送受信装置２から通信部１０１を介して受信したチャンネルマップ情報（対応情報）に含まれる放送チャンネルに応じた（すなわち、その放送チャンネルが何であるかを視聴者が直ぐに（例えば直感的に）把握し易いように放送チャンネルを特徴的に識別する）放送チャンネル情報を生成する放送チャンネル情報生成部１０２（放送チャンネル情報生成手段）と、リモコン装置１の全体の制御を行う制御部１０３と、リモコン装置１が選択しているネットワーク種別を記憶するネットワーク種別記憶部１０４と、リモコンのオリジナルイメージ（オリジナルリモコンイメージ）を生成するオリジナルイメージ生成部１０５（オリジナルイメージ生成手段）と、オリジナルイメージ生成部１０５が生成したオリジナルリモコンイメージに放送チャンネル情報生成部１０２が生成した放送チャンネル情報を重畳する放送チャンネル情報重畳部１０６（放送チャンネル情報重畳手段）と、放送チャンネル情報重畳部１０６が生成したイメージ（リモコンイメージ）を表示する表示部１０７（タッチパネル手段）と、ユーザからの入力操作を受け付ける操作部１０８とを備える。
【００１９】
また、放送受信装置２は、放送受信装置２のチャンネルマップを記憶するチャンネルマップ記憶部２０１と、チャンネルマップ記憶部２０１からチャンネルマップを取得してリモコン装置１に送信するためのチャンネルマップ情報を生成するチャンネルマップ情報生成部２０２と、ユーザからの入力操作を受け付ける操作部２０３と、放送受信装置２の全体の制御を行う制御部２０４と、制御部２０４の指示に従い選局を行う選局部２０５と、リモコン装置１との間で通信を行う通信部２０６とを備える。
【００２０】
図２は、本実施形態１によるリモコン装置１の表示部１０７に表示されるリモコンイメージ１０ａの一例を示す図である。図２に示すように、表示部１０７に表示されるリモコンイメージ１０ａは、リモコン装置２の操作ボタン（機能ボタン）を模したユーザインタフェース（リモコンイメージ）である。ユーザがリモコンイメージ１０ａ内の所定のボタンを選択すると、放送受信装置２では所定の操作が行われる（所定の機能が動作する）。すなわち、リモコン装置２は、表示部１０７に表示される所定のボタンの操作を通信部１０１を介して放送受信装置２に通知している。本実施形態１では、数字ボタン１１ａ〜１１ｌと放送チャンネル情報１２ａ〜１２ｌとを重畳したリモコンイメージ１０ａを表示部１０７に表示することを特徴としている。
【００２１】
リモコンイメージ１０ａは、放送チャンネルを直接指定して選局する数字ボタン１１ａ〜１１ｌと、視聴可能な放送チャンネルを順送りに選局するチャンネルアップボタン１４ａと、視聴可能な放送チャンネルを逆送りに選局するチャンネルダウンボタン１４ｂと、放送のネットワーク種別を選択するネットワーク選択ボタン１３ａ〜１３ｃと、放送チャンネル情報１２ａ〜１２ｌとを備える。
【００２２】
ネットワーク選択ボタン１３ａは地上デジタル放送を選択するボタンであり、ネットワーク選択ボタン１３ｂはＢＳデジタル放送を選択するボタンであり、ネットワーク選択ボタン１３ｃはＣＳデジタル放送を選択するボタンである。
【００２３】
放送チャンネル情報１２ａ〜１２ｌは、各数字ボタン１１ａ〜１１ｌに割り当てられた放送チャンネル（割り当てチャンネル）に関する情報である。本実施形態１では、放送チャンネルを放送している放送局のロゴを放送チャンネル情報１２ａ〜１２ｌとして表示する。また、放送チャンネルが割り当てられていない数字ボタンには放送チャンネル情報を表示しない。
【００２４】
また、ネットワーク選択ボタン１３ａ〜１３ｃを選択すると、選択されたネットワーク種別に対応した放送チャンネル情報１２ａ〜１２ｌが、数字ボタン１１ａ〜１１ｌに重畳されてリモコンイメージ１０ａとして表示部１０７に表示される。
【００２５】
次に、リモコン装置１と放送受信装置２と間におけるチャンネルマップ情報の送受信に関する処理動作について図３〜５を用いて説明する。
【００２６】
図３はリモコン装置１におけるチャンネルマップ情報取得の処理動作を示すフローチャートであり、図４は放送受信装置２におけるチャンネルマップ情報送信の処理動作を示すフローチャートであり、図５はリモコン装置１と放送受信装置２との間で行われる信号の送受信を示すシーケンス図である。なお、図５に示されるステップ番号は、図３および図４に示されるステップ番号と対応している。
【００２７】
リモコン装置１が起動すると、制御部１０３は、通信部１０１を介して放送受信装置１に接続要求を送信する（ステップＳ３１）。放送受信装置２の制御部２０４は、通信部２０６を介してリモコン装置１から接続要求を受信すると（ステップＳ４１）、通信部２０６を介して接続応答をリモコン装置１に送信する（ステップＳ４２）。このような処理を行うことによって、リモコン装置１と放送受信装置２との接続が確立状態となる。
【００２８】
リモコン装置１は、通信手段１０１を介して接続応答を受信すると（ステップＳ３２）、通信手段１０１を介して放送局受信装置２にチャンネルマップ取得要求（対応情報取得要求）を送信する（ステップＳ３３）。チャンネルマップ取得要求では、パラメータとしてチャンネルマップの取得を所望するネットワーク種別を付加して通知（送信）する。
【００２９】
なお、どのネットワーク種別を通知するかは、ネットワーク種別記憶部１０４に記憶されているネットワーク種別から選択する。ネットワーク種別は、ネットワーク選択ボタン１３ａ〜１３ｃによって選択される。また、起動直後は、前回接続終了時に選択していたネットワーク種別を通知するものとする。
【００３０】
放送受信装置２は、通信部２０６を介してチャンネルマップ取得要求を受信すると（ステップＳ４３）、チャンネルマップ情報生成部２０２は、チャンネルマップ情報を生成する（ステップＳ４４）。ここで、チャンネルマップ情報とは、数字ボタン１１ａ〜１１ｌと、各数字ボタン１１ａ〜１１ｌに割り当てられる割り当てチャンネル（放送チャンネル）を特定する情報（放送チャンネル特定情報）との対応を示す情報である。
【００３１】
例えば、デジタル放送では、ネットワークＩＤ、ＴＳＩＤ(Transport Stream Identifier)、およびサービスＩＤから放送チャンネルを特定できる。ここで、サービスＩＤは複数の番組から構成されるサービス（チャンネルに相当）を識別するための識別子であり、ＴＳＩＤは複数のサービスおよび付加情報から構成されるトランスポートストリーム（キャリアに相当）を識別するための識別子であり、ネットワークＩＤはネットワーク（複数のトランスポートストリームから構成される）を識別するための識別子である。本実施形態１では、放送チャンネル特定情報として、ネットワークＩＤ、ＴＳＩＤ、およびサービスＩＤを用いている。
【００３２】
放送受信装置２は、チャンネルマップ情報生成部２０２にて生成された放送チャンネル特定情報を格納したデータ配列をチャンネルマップ情報として、通信部２０６を介してリモコン装置１に送信する（ステップＳ４５）。
【００３３】
図６は、チャンネルマップ情報生成部２０２にて生成されるチャンネルマップ情報の一例を示す図である。図６に示すように、チャンネルマップ情報は、数字ボタンと当該数字ボタンに対応する放送チャンネル特定情報とからなる。図６の１列目には数字ボタン１１ａ〜１１ｌに対応する数字が格納され、２列目には各数字ボタン１１ａ〜１１ｌに対応するネットワークＩＤ、ＴＳＩＤ、およびサービスＩＤを格納している。図６中の「−」は、数字ボタンを選択しても放送チャンネルが選局されないことを示している。これらの情報によって、リモコン装置２は各数字ボタン１１ａ〜１１ｌに対応する割り当てチャンネルを特定することができる。
【００３４】
リモコン装置１が通信部１０１を介して放送受信装置２からチャンネルマップ情報を受信すると（ステップＳ３４）、放送チャンネル情報生成部１０２は、各数字ボタン１１ａ〜１１ｌに対応する割り当てチャンネル（放送チャンネル）を放送チャンネル特定情報から特定し、放送チャンネルに応じた情報表示（すなわち、その放送チャンネルが何であるかを視聴者が直ぐに（例えば直感的に）把握しやすいように放送チャンネルを特徴的に識別する放送チャンネル情報）を生成する（ステップＳ３５）。本実施形態１では、放送チャンネル情報として放送局のロゴを使用する。すなわち、放送局のロゴ画像を生成する。
【００３５】
なお、各放送局のロゴ画像は、リモコン装置１が記憶しているものとする。リモコン装置１が記憶していないロゴ画像の放送局がある場合は、例えば、放送局名の文字列が放送チャンネル情報として放送チャンネル情報生成部１０２にて生成される。
【００３６】
オリジナルイメージ生成部１０５は、図２に示すようなリモコンイメージ１０ａから放送チャンネル情報１２ａ〜１２ｌを除いたイメージ、すなわちオリジナルのリモコンイメージ（オリジナルリモコンイメージ）を生成する。
【００３７】
放送チャンネル情報重畳部１０６は、オリジナルイメージ生成部１０５にて生成されたオリジナルリモコンイメージにおける各数字ボタン１１ａ〜１１ｌの表示位置に、対応する放送チャンネル情報を重畳し、図２に示すようなリモコンイメージ１０ａを生成する（ステップＳ３６）。チャンネルマップ情報が「−」となっている数字ボタン（図６参照）については、放送チャンネル情報を数字ボタンに重畳しない。
【００３８】
表示部１０７は、放送チャンネル情報重畳部１０６にて生成されたリモコンイメージ１０ａを表示（あるいは、表示を更新）する（ステップＳ３７）。
【００３９】
以上の処理を行うことにより、チャンネルマップ情報を反映したリモコンイメージ１０ａを表示部１０７に表示することができる。
【００４０】
表示部１０７に表示されたリモコンイメージ１０ａ上の各数字ボタン１１ａ〜１１ｌのいずれかをユーザが選択すると、所定の数字ボタンを選択したことを示す通知がリモコン装置１から通信部１０１，２０６を介して放送受信装置２に送信され、当該数字ボタンに対応する放送チャンネル（割り当てチャンネル）が選局部２０５によって選局される。
【００４１】
次に、リモコンイメージ１０ａのネットワーク選択ボタン１３ａ〜１３ｃを選択したときの処理について説明する。
【００４２】
リモコン装置１の操作部１０８によってネットワーク選択ボタン１３ａ〜１３ｃのいずれかが選択された場合（ステップＳ３８のＹＥＳ）、選択された各ネットワーク選択ボタン１３ａ〜１３ｃに対応するネットワーク種別をパラメータとして、チャンネルマップ取得要求を送信する（ステップＳ３３）。
【００４３】
チャンネルマップ取得要求の送信後は、リモコン装置１および放送受信装置２ともに上述の処理を行う（すなわち、リモコン装置１はステップＳ３４〜Ｓ３７の処理を、放送受信装置２はステップＳ４３〜４５の処理を行う）。
【００４４】
以上の処理を行うことにより、ユーザが選択したネットワーク選択ボタン１３ａ〜１３ｃに応じた放送チャンネル情報が、リモコンイメージ１０ａの数字ボタンとして表示される。
【００４５】
次に、放送受信装置２においてチャンネルマップが変更されたときの処理について説明する。
【００４６】
放送受信装置２の操作部２０３によってチャンネルマップが変更された場合において（ステップＳ４６）、放送受信装置２は、通信部２０６を介してリモコン装置１にチャンネルマップ変更通知（対応情報変更通知）を送信する（ステップＳ４７）。
【００４７】
リモコン装置１は、放送受信装置２からチャンネルマップ変更通知を受信すると（ステップＳ３８のＹＥＳ）、チャンネルマップ取得要求を送信する（ステップＳ３３）。
【００４８】
チャンネルマップ取得要求の送信後は、リモコン装置１および放送受信装置２ともに上述の処理を行う（すなわち、リモコン装置１はステップＳ３４〜Ｓ３７の処理を、放送受信装置２はステップＳ４３〜４５の処理を行う）。
【００４９】
以上のことから、本実施形態１によれば、放送受信装置２にて設定されたチャンネルマップに基づいて、放送局のロゴを数字ボタンに重畳してリモコン装置１の表示部１０７に表示することができるので、ユーザはどの数字ボタンにどの放送チャンネルが割り当てられているのかを、リモコン装置１を見るだけで容易に把握することができる。
【００５０】
また、放送受信装置２からリモコン装置１に送信するチャンネルマップ情報は数字の配列で構成されるので、ＥＰＧ情報を送信する場合に比べて十分に小さい通信量で機能を実現することができる。
【００５１】
また、放送受信装置２にてチャンネルマップが変更された場合には、放送受信装置２からリモコン装置１にチャンネルマップ変更通知を送信し、リモコン装置１に対してチャンネルマップの再取得を促すので、常に最新のチャンネルマップをリモコン装置１の表示部１０７に反映して表示させることができる。
【００５２】
また、リモコン装置１の表示部１０７において、各数字ボタン１１ａ〜１１ｌ上に放送チャンネル情報を重畳して表示するので、ユーザはどの数字ボタンにどの放送チャンネルが割り当てられているのかを学習することができ、放送チャンネル情報を表示しないリモコン装置を使用するときであっても、数字ボタンと当該数字ボタンに割り当てられた放送チャンネル（割り当てチャンネル）との対応に迷うことがなくなる。
【００５３】
なお、本実施形態１では、リモコンイメージ１０ａは、簡単のために選局に最低限必要なボタンしか記載していないが、他の機能を実現するためのボタンを備えて（表示させて）もよい。
【００５４】
また、本実施形態１では、ネットワーク種別ボタン１３ａ〜１３ｃのいずれかが選択された場合において、リモコン装置１は放送受信装置２に対して常にチャンネルマップ取得要求を送信していたが、現在リモコン装置１が表示しているネットワーク種別と同一のネットワーク種別を表すボタンが選択された場合には、チャンネルマップ取得要求を送信しないようにしてもよい。このようにすることにより、通信処理、イメージ生成処理、表示更新処理を省略することができるので、リモコン装置１の処理の負荷を軽減することができる。
【００５５】
なお、本実施形態１では、ネットワーク種別ボタン１３ａ〜１３ｃのいずれかが選択された場合において、リモコン装置１は放送受信装置２に対して各ネットワーク種別ボタン１３ａ〜１３ｃに対応するネットワーク種別をパラメータとしてチャンネルマップ取得要求を送信していたが、パラメータとしてネットワーク種別を用いず、放送受信装置２が現在選局中のネットワーク種別に対応したチャンネルマップを送信してもよい。この場合、リモコン装置１でネットワーク種別ボタンを選択した場合の動作の一例としては、リモコン装置１から放送受信装置２にネットワーク変更要求を送信し、その応答としてチャンネルマップ情報をリモコン装置１に返信すればよい。このようにすることにより、放送受信装置２が放送ネットワークを切り替えると同時に、変更したネットワーク種別に対応したものをリモコン装置１の表示部１０７に表示させることが可能となる。
【００５６】
なお、本実施形態１では、指定されたネットワーク種別に対応したチャンネルマップ情報のみを放送受信装置２からリモコン装置１に送信していたが、全てのネットワーク種別のチャンネルマップ情報を一括して送信してもよい。このようにすることにより、リモコン装置１にてチャンネルマップ情報を保存しておく必要はあるが、リモコン装置１の表示部１０７にて表示されるネットワーク種別が変更された場合であっても、放送受信装置２にチャンネルマップ情報取得要求を送信する必要がない。また、各ネットワーク種別に対応する数字ボタンを並べて表示することも可能となる。
【００５７】
なお、本実施形態１では、放送受信装置２は放送チャンネル特定情報としてネットワークＩＤ、ＴＳＩＤ、およびサービスＩＤをリモコン装置１に送信していたが、他の情報を送信してもよい。例えば、放送局名を送信するようにしてもよいし、サービスＩＤだけで放送チャンネルを特定できるような環境であればサービスＩＤだけを送信するようにしてもよい。
【００５８】
なお、本実施１形態において、チャンネル割り当てのない（放送チャンネルが割り当てられていない）数字ボタンには放送チャンネル情報を重畳しなかったが、放送チャンネル情報を重畳しない数字ボタンに対しては、表示をグレーアウトするようにしてもよい。こうすることにより、ユーザにとってその数字ボタンを選択しても選局できないということを分かりやすくすることができる。
【００５９】
なお、本実施形態１では、放送チャンネル情報として放送局のロゴ画像を表示させたが、例えば、放送局名を表示してもよい。
【００６０】
なお、本実施形態１では、リモコン装置１に記憶された情報（例えば、放送局のロゴ画像）に基づいて放送チャンネル情報を作成していたが、放送受信装置２から放送チャンネル情報を送信するようにしてもよい。例えば、放送受信装置２から、チャンネルマップ情報として各数字ボタン１１ａ〜１１ｌに割り当てられた放送局のロゴ画像を送信してもよい。ロゴ画像は、例えば、デジタル放送においてはトランスポートストリームに付加情報として含まれているので、当該付加情報から取得することができる。このようにすることにより、リモコン装置１と放送受信装置２との間における通信量は増えるが、リモコン装置１が必要とするメモリ量を削減することができる。
【００６１】
なお、本実施形態１では、リモコン装置１に記憶された情報に基づいて放送チャンネル情報を作成したが、本実施形態１による放送チャンネル選択システムとは異なる外部の機器から放送チャンネル情報を取得してもよい。例えば、インターネット上に存在するサーバから取得してもよい。このようにすることにより、外部サーバと通信を行う必要は生じるが、リモコン装置１が必要とするメモリ量を削減することができる。
【００６２】
なお、本実施形態１では、放送受信装置２はデジタル放送受信装置であるとして説明したが、他の放送を受信する装置にも適用できる。例えば、ラジオ放送など、ボタンを押すとそれに対応した放送チャンネルの選択を行う装置であれば適用可能である。
【００６３】
なお、本実施形態１では、選局を行うためにリモコン装置１を用いたが、選局を行わなくても放送チャンネルの選択を行う機能に対しても本実施形態を適用することができる。例えば、録画する番組を選択するためのチャンネル選択に適用することができる。
【００６４】
なお、本実施形態１では、リモコン装置１と放送受信装置２との間で接続要求・接続応答を行って通信を確立してから各処理を開始するようにしたが、接続要求・接続応答の処理を省略してもよい。
【００６５】
〈実施形態２〉
図７は、本発明の実施形態２によるリモコン装置１の表示部１０７に表示されるリモコンイメージ１０ａの一例を示す図である。図７に示すように、本実施形態２では、チャンネルアップボタン１４ｃを選択した場合に放送受信装置１が選局する放送チャンネル（次放送チャンネル）の放送チャンネル情報１２ｍをチャンネルアップボタン１４ｃに重畳して表示し、チャンネルダウンボタン１４ｄを選択した場合に放送受信装置２が選局する放送チャンネル（前放送チャンネル）の放送チャンネル情報１２ｎをチャンネルダウンボタン１４ｄに重畳して表示することを特徴としている。その他の構成および動作は、実施形態１と同様であるため、ここでは説明を省略する。
【００６６】
図８は、本実施形態２によるチャンネルマップ情報生成部２０２にて生成されるチャンネルマップ情報の一例を示す図である。
【００６７】
図８に示すように、本実施形態２によるチャンネルマップ情報は、インデックス、放送チャンネル特定情報、数字ボタンの項目を含んでいる。放送チャンネル特定情報は、放送チャンネルの特定に必要な情報であり、本実施形態２ではネットワークＩＤ、ＴＳＩＤ、およびサービスＩＤを用いている。数字ボタンは、各放送チャンネルに対応する数字ボタンを示し、図８ではインデックス１の放送チャンネルが数字ボタン「１」に、インデックス４の放送チャンネルが数字ボタン「２」に対応している。
【００６８】
図８に示すように、数字ボタン１１ａ〜１１ｌの選択時に選局する放送チャンネルの並びと、チャンネルアップボタン１４ｃ、チャンネルダウンボタン１４ｄの選択時に選局する放送チャンネルの並びとは必ずしも一致しないため、実施形態１とは異なるチャンネルマップ情報が必要となる。
【００６９】
チャンネルマップ情報の送受信の流れについては、実施の形態１と同様である。本実施形態２では、チャンネルアップボタン１４ｃおよびチャンネルダウンボタン１４ｄの各々に、次放送チャンネルおよび前放送チャンネルの放送チャンネル情報を表示するために、放送受信装置２が選局する放送チャンネルに変更があった場合には、リモコン装置１の表示部１０７の表示を更新する必要がある。
【００７０】
図９は、本実施形態２によるリモコン装置１の処理動作を示すフローチャートである。放送受信装置２は、初回起動時および選局放送チャンネルに変更があった場合には、リモコン装置１に選局チャンネル通知を送信する。選局チャンネル通知では、放送受信装置２が新たに選局した放送チャンネルの放送チャンネル特定情報を通知する（図示せず）。
【００７１】
図９に示すように、リモコン装置１は、選局チャンネル通知を受信すると（ステップＳ９１）、放送受信装置２から受信済みのチャンネルマップ情報から、選局チャンネル通知に含まれる放送チャンネル特定情報を検索する（ステップＳ９２）。本実施形態２では、図８に示すチャンネルマップ情報において、インデックス３に該当する放送チャンネル特定情報が通知されたものとして説明する。
【００７２】
次に、チャンネルマップ情報から次放送チャンネルと前放送チャンネルを取得する（ステップＳ９３）。ここでは、次放送チャンネルとしてインデックス４の放送チャンネルを取得し、前放送チャンネルとしてインデックス２の放送チャンネルを取得する。
【００７３】
なお、選局中の番組がチャンネルマップ情報の先頭（インデックス１）であった場合、前放送チャンネルはチャンネルマップ情報の末尾（インデックスＮ）の放送チャンネルとなる。また、選局中の番組がチャンネルマップ情報の末尾（インデックスＮ）の放送チャンネルであった場合、次放送チャンネルはチャンネルマップ情報の先頭（インデックス１）の放送チャンネルとなる。
【００７４】
次に、次放送チャンネルと前放送チャンネルの放送チャンネル情報を生成する（ステップＳ９４）。ここでは、実施形態１と同様に、放送チャンネルを放送する放送局のロゴ画像を放送チャンネル情報として生成する。
【００７５】
放送チャンネル情報重畳部１０６は、生成した放送チャンネル情報をオリジナルリモコンイメージのチャンネルアップボタン１４ｃおよびチャンネルダウンボタン１４ｄに重畳し（ステップＳ９５）、表示部１０７は表示を更新する（ステップＳ９６）。
【００７６】
以上のことから、本実施形態２によれば、チャンネルアップボタン１４ｃおよびチャンネルダウンボタン１４ｄを選択する際、放送受信装置２が選局中の放送チャンネルの次・前放送チャンネルの放送チャンネル情報をチャンネルアップボタン１４ｃおよびチャンネルダウンボタン１４ｄの各々に重畳して表示するので、ユーザにとっての利便性が向上する。
【００７７】
なお、本実施形態２では、リモコンを模したユーザインタフェース上（チャンネルアップボタン１４ｃおよびチャンネルダウンボタン１４ｄ）に次放送チャンネルおよび前放送チャンネルの放送チャンネル情報を重畳して表示させたが、他のユーザインタフェースに重畳して表示させてもよい。例えば、タッチパネル上を触って操作するようなインターフェースにおいて、画面を右方向になでると次チャンネルを選局し、画面を左方向になでると前チャンネルを選局するような選局システムにおいて、表示画面の右側に次放送チャンネルの放送チャンネル情報を、表示画面の左側に前放送チャンネルの放送チャンネル情報を表示するようにしてもよい。
【００７８】
〈実施形態３〉
本実施形態３では、放送受信装置２が各放送チャンネルの受信信号強度（付加情報）を取得し、取得した受信信号強度をチャンネルマップ情報に付加してリモコン装置１に送信し、リモコン装置１は、受信した受信信号強度を放送チャンネル情報とともに数字ボタン１１ａ〜１１ｌに重畳して表示することを特徴としている。
【００７９】
図１０は、本実施形態３による放送チャンネル選択システムの構成を示すブロック図である。図１０に示すように、本実施形態３では、放送受信装置２が受信信号強度取得部２０７を備えることを特徴としている。その他の構成および動作は、実施形態１と同様であるため、ここでは説明を省略する。
【００８０】
受信信号強度取得部２０７が各放送チャンネルの受信信号強度を受信すると、チャンネルマップ情報生成部２０２は図１１に示すような受信信号強度を付加したチャンネルマップ情報を作成する。
【００８１】
図１２は、本実施形態３による受信信号強度取得部２０７の処理動作を示すフローチャートである。図１２に示すように、受信信号強度取得部２０７は、数字ボタン１１ａ〜１１ｌに割り当てられている放送チャンネルがあれば、当該放送チャンネルを選局する（ステップＳ１２１）。放送チャンネルが割り当てられていない数字ボタンについては選局を行わない。なお、この選局処理は、選局部２０５とは異なるチューナを用いて行われる。つまり受信信号強度取得部２０７の動作が選局部２０５に影響を与えることはない。
【００８２】
選局が行われると（ステップＳ１２２）、選局した放送チャンネルの信号受信強度を取得し（ステップＳ１２３）、記憶する。この処理を全ての数字ボタン１１ａ〜１１ｌに割り当てられた放送チャンネルに対して行う（ステップＳ１２４）。
【００８３】
信号受信強度の測定を終えると、チャンネルマップ情報生成部２０２に信号受信強度の情報を渡す。信号受信強度のデータは、図１１に示すようにチャンネルマップ情報に付加され、実施形態１と同様のタイミングで通信部２０６を介してリモコン装置１に送信される。
【００８４】
リモコン装置１が通信部１０１を介してチャンネルマップ情報を受信すると、放送チャンネル情報生成部１０２は、放送チャンネル情報として放送局のロゴ画像と信号受信強度とを組み合わせたイメージを生成する。表示部１０７には、放送チャンネル情報生成部１０２にて生成された放送チャンネル情報が数字ボタン１１ａ〜１１ｌに重畳して表示される。
【００８５】
なお、前回測定時と比較して受信信号強度の変更が所定の閾値以上である放送チャンネルがあった場合には（ステップＳ１２５のＹＥＳ）、チャンネルマップ変更通知をリモコン装置１に送信する（ステップＳ１２６）。これにより、リモコン装置１は最新の受信信号強度を数字ボタン１１ａ〜１１ｌに重畳して表示することができる。
【００８６】
以上のことから、本実施形態３によれば、各数字ボタンの割り当てられた放送チャンネルの受信信号強度（付加情報）を各数字ボタンに重畳して表示しているので、リモコン装置１の表示部１０７に表示されたリモコンイメージを見るだけで、各放送チャンネルの受信信号強度を容易に把握することができる。
【００８７】
また、受信信号強度の取得は、数字ボタンに割り当てられた放送チャンネルのみであるので、全ての放送チャンネルの受信信号強度を取得しても、放送受信装置２にて生じる処理の負荷は大きくならない。
【００８８】
なお、本実施形態３では、選局部２０５と受信信号強度取得部２０７とは別個のチューナを用いたが、選局部２０５から受信信号強度を取得するようにしてもよい。このようにすることにより、選局部２０５が選局した放送チャンネルの受信信号強度しか取得できないので、常に最新の受信信号強度をリモコン装置１に表示できなくなるが、放送受信装置２の部品数を減らすことができる。
【００８９】
また、本実施形態３では、放送チャンネルの受信信号強度をチャンネルマップ情報に付加したが、付加する情報は放送チャンネルに関する情報であればなんでもよい。例えば、数字ボタンに割り当てられた放送チャンネルで放送中の番組名などでもよい。その場合、受信信号強度に大きな変動がないかを確認していたところで、番組名が変わったかを判断するようにすれば、リモコン装置１に最新の放送番組名を表示することができる。このようにすることにより、数字ボタンに割り当てられた放送チャンネルについてのより多くの情報をリモコン装置１に表示できるようになり、ユーザの利便性が高まる。
【００９０】
〈実施形態４〉
本発明の実施形態４では、普段、放送受信装置２を使用している地域（自地域）とは異なる地域（他地域）で放送チャンネル選択システムを使用する場合において、自地域の放送チャンネルの放送チャンネル情報をその系列チャンネルが割り当てられている数字ボタンに重畳してリモコン装置１の表示部１０７に表示することを特徴としている。すなわち、放送受信装置２が系列の存在する放送チャンネルを受信している場合において、リモコン装置１は、現に受信している放送チャンネルに代えてその系列の放送チャンネルの放送チャンネル情報を重畳して表示部１０７に表示することを特徴としている。
【００９１】
図１３は、本実施形態４による放送チャンネル選択システムの構成を示すブロック図である。図１３に示すように、本実施形態４では、リモコン装置１が自地域記憶部１０９を備えることを特徴としている。その他の構成および動作は、実施形態１と同様であるため、ここでは説明を省略する。
【００９２】
自地域記憶部１０９は、操作部１０８からの入力によって設定された自地域のチャンネルマップを記憶する。制御部１０３は、自地域記憶部１０９に記憶された自地域の放送局（自地域放送局）の系列局（系列放送局）の放送チャンネルがチャンネルマップに含まれるか否かを調べる。
【００９３】
図１４は、本実施形態４によるリモコン装置１の処理動作を示すフローチャートである。図１４において、ステップＳ１４１〜ステップＳ１４４は、図３のステップＳ３１〜ステップＳ３４に対応し、ステップＳ１４８〜ステップＳ１５１は、図３のステップＳ３５〜ステップＳ３８に対応している。
【００９４】
図１４に示すように、リモコン装置１は、放送受信装置２から受信したチャンネルマップ情報が系列放送局の放送チャンネルを含むか否かを調べ（ステップＳ１４５）、系列放送局の放送チャンネルを含む場合には、系列放送局の放送チャンネルの放送チャンネル特定情報を自地域放送局の放送チャンネルの放送チャンネル特定情報に置き換える（ステップＳ１４６）。
【００９５】
図１５は、本実施形態４によるチャンネルマップ情報の置き換えの一例を示す図である。図１５において、ＤＥＦ放送局およびＧＨＩ放送局は自地域放送局とし、ＸＹＺ放送局は自地域の系列局ではない（他地域の放送局）とする。
【００９６】
図１５に示すように、放送受信装置２から受信したチャンネルマップ情報には、ＤＥＦ放送局の系列局およびＧＨＩ放送局の系列局の放送チャンネル特定情報が含まれている。この場合、ＤＥＦ放送局の系列局の放送チャンネル特定情報を、ＤＥＦ放送局の適当な放送チャンネル特定情報に置き換える。
【００９７】
ＤＥＦ放送局の適当な放送チャンネル特定情報とは、例えば、ＤＥＦ放送局に割り当てられたネットワークＩＤ、ＴＳＩＤと割り当てられたサービスＩＤの範囲の中で一番先頭のサービスＩＤを用いればよい。
【００９８】
ＧＨＩ放送局についても同様に、ＤＥＦ放送局の系列局の放送チャンネル特定情報を、ＧＨＩ放送局の適当な放送チャンネル特定情報に置き換える。
【００９９】
ＸＹＺ放送局については、自地域に系列の放送局が存在しないので、放送チャンネル特定情報の置き換えは行わない。
【０１００】
放送チャンネル情報生成部１０２は、放送チャンネル特定情報に基づいた放送チャンネル情報を生成する（ステップＳ１４８）ので、リモコン装置１の表示部１０７に表示される数字ボタン１１ａ〜１１ｌには、置き換えられた自地域放送局の放送チャンネルの放送チャンネル情報が重畳して表示される。
【０１０１】
以上のことから、本実施形態４によれば、他地域で放送チャンネル選択システムを使用した場合であっても、自地域放送局の系列局の放送チャンネルがあれば、当該系列局の放送チャンネルが自地域放送局の放送チャンネルの放送チャンネル情報に置き換えて表示されるので、自地域放送局の系列局の放送チャンネルをどの数字ボタンで選局することができるのかを容易に把握することができる。
【０１０２】
なお、系列局の放送チャンネル特定情報を自地域の放送チャンネル特定情報に置き換えた場合には、置き換えたことを示すマークを数字ボタン上に重畳して表示するようにしてもよい。このようにすることにより、どの放送チャンネル情報が置き換えられたのかをユーザが容易に把握することができる。
【０１０３】
なお、本実施形態４では、置き換えた放送チャンネル情報のみを数字ボタン上に表示したが、置き換える前の放送チャンネル情報と、置き換えた後の放送チャンネル情報との両方を数字ボタン上に重畳して表示するようにしてもよい。このようにすることにより、放送局の系列関係を容易に把握することができるとともに、それらがどの数字ボタンに割り当てられているのかをユーザが容易に把握することができる。
【０１０４】
なお、本実施形態４では、リモコン装置１にて自地域放送局と系列放送局との対応付けを行った上で放送チャンネル特定情報を置き換えたが、この対応付けと置き換えを放送受信装置２にて行い、放送受信装置２からは置き換えた後のチャンネルマップ情報をリモコン装置１に送信するようにしてもよい。このようにすることにより、放送受信装置２での処理は増加するが、リモコン装置１での処理負荷を軽減することができる。
【０１０５】
〈実施形態５〉
本発明の実施形態５では、リモコン装置１にてチャンネルマップを変更し、変更後のチャンネルマップを放送受信装置１に送信して反映させることを特徴としている。
【０１０６】
図１６は、本実施形態５による放送チャンネル選択システムの構成を示すブロック図である。図１６に示すように、本実施形態５では、リモコン装置１がチャンネルマップ情報生成部１１０を備えることを特徴としている。その他の構成および動作は、実施形態１と同様であるため、ここでは説明を省略する。
【０１０７】
本実施形態５では、ユーザは、リモコン装置１にて放送受信装置２のチャンネルマップを変更することができる。以下、詳細について説明する。
【０１０８】
チャンネルマップの変更時において、リモコン装置１の表示部１０７にはチャンネルマップ変更画面１０ｂ（対応情報変更画面）が表示される（図１７参照）。図１７は、チャンネルマップ変更画面の一例を示す図である。図１７に示すように、チャンネルマップ変更画面１０ｂには、非割り当てチャンネル表示領域１５が設けられており、非割り当てチャンネル表示領域１５には、非割り当てチャンネル情報１２Ａ〜１２Ｃが表示されている。その他の構成は、図２に示すリモコンイメージ１０ａと同様である。
【０１０９】
チャンネルマップ変更画面が表示部１０７に表示されると、ユーザは操作部１０８を介して、非割り当てチャンネル表示領域１５に表示されている放送チャンネル情報を指で押さえ、そのまま異なる数字ボタンの表示領域に移動させて離す（ドラッグ操作を行う）ことにより、放送チャンネル情報の表示位置を変更することができる。
【０１１０】
このように、数字ボタンに放送チャンネル情報を非割り当てチャンネル表示領域１５にドラッグすると、その数字ボタンへの放送チャンネルの割り当てを解除することができる。一方、非割り当てチャンネル表示領域１５に表示している放送チャンネル情報を数字ボタンの表示領域に移動する（ドラッグする）と、その数字ボタンに対応する放送チャンネルを割り当てることができる。
【０１１１】
なお、放送チャンネル情報の表示位置の変更先は、放送チャンネルが割り当てられていない数字ボタンのみとする。すでに放送チャンネルが割り当てられている数字ボタンの表示領域に対して放送チャンネル情報をドラッグしても、リモコンイメージもチャンネルマップも更新されない。
【０１１２】
以上の操作を行うことにより、リモコン装置１にてチャンネルマップを変更することができる。
【０１１３】
図１８は、リモコン装置１の表示部１０７に表示されるチャンネルマップ変更画面１０ｂの一例を示す図であり、図１７に示すチャンネルマップ変更画面１０ｂから放送チャンネル情報の表示位置を変更した場合の一例を示している。
【０１１４】
図１８に示すように、数字ボタン「２」に割り当てられていた放送チャンネル情報１２ｂを、数字ボタン「３」の表示領域に移動させている。このことは、放送チャンネル情報１２ｂが示す放送チャンネルの割り当てを数字ボタン「２」から「３」に変更したことを意味している。また、数字ボタン「６」に割り当てられていた放送チャンネルを、放送チャンネル情報１２ｆが示す放送チャンネルから、放送チャンネル情報１２Ｃが示す放送チャンネルに変更している。
【０１１５】
ユーザがチャンネルマップ変更画面１０ｂでのチャンネルマップの変更を完了すると、チャンネルマップ情報生成部１１０は、図６に示すチャンネルマップ情報と同様の、数字ボタンと当該数字ボタンに割り当てられた放送チャンネルの放送チャンネル特定情報を生成する。上記の例の場合（図１７から図１８に変更した場合）であれば、数字ボタン「２」の行が「−（割り当てなし）」となり、数字ボタン「２」の放送チャンネル特定情報として示されていた情報が、数字ボタン「３」の行に示される。
【０１１６】
リモコン装置１は、チャンネルマップ情報生成部１１０がチャンネルマップ情報を生成すると、通信部１０１を介して放送受信装置２にチャンネルマップ情報を送信する。
【０１１７】
放送受信装置２は、通信部２０６を介してリモコン装置１からチャンネルマップ情報を受信すると、チャンネルマップ記憶部２０１に受信したチャンネルマップの情報を記憶し、放送受信装置２全体に対して記録したチャンネルマップを適用する。
【０１１８】
以上のことから、本実施形態５によれば、リモコン装置１にてチャンネルマップを変更でき、また、チャンネルマップの変更を直感的な操作によって行うことができるので、ユーザにとって利便性が向上する。
【０１１９】
なお、本実施形態５では、チャンネル割り当て変更のために図１７に示すようなチャンネルマップ変更画面１０ｂを表示させたが、チャンネルマップ変更画面１０ｂをリモコンイメージ（図２参照）として選局操作を行ってもよい。このようにすることにより、リモコンの数字ボタンに割り当てられていない放送チャンネルも、任意の数字ボタンに放送チャンネル情報を割り当てることによって、すぐに選局可能となる。
【符号の説明】
【０１２０】
１  リモコン装置、２  放送受信装置、１０ａ  リモコンイメージ、１０ｂ  チャンネルマップ変更画面、１１ａ〜１１ｌ  数字ボタン、１２ａ〜１２ｎ  放送チャンネル情報、１３ａ〜１３ｃ  ネットワーク選択ボタン、１４ａ，１４ｃ  チャンネルアップボタン、１４ｂ，１４ｄ  チャンネルダウンボタン、１５  非割り当てチャンネル表示領域、１０１  通信部、１０２  放送チャンネル情報生成部、１０３  制御部、１０４  ネットワーク種別記憶部、１０５  オリジナルイメージ生成部、１０６  放送チャンネル情報重畳部、１０７  表示部、１０８  操作部、１０９  自地域記憶部、１１０  チャンネルマップ情報生成部、２０１  チャンネルマップ記憶部、２０２  チャンネルマップ情報生成部、２０３  操作部、２０４  制御部、２０５  選局部、２０６  通信部、２０７  受信信号強度取得部。
【図１】
0005815332.tif 000002
【図２】
0005815332.tif 000003
【図３】
0005815332.tif 000004
【図４】
0005815332.tif 000005
【図５】
0005815332.tif 000006
【図６】
0005815332.tif 000007
【図７】
0005815332.tif 000008
【図８】
0005815332.tif 000009
【図９】
0005815332.tif 000010
【図１０】
0005815332.tif 000011
【図１１】
0005815332.tif 000012
【図１２】
0005815332.tif 000013
【図１３】
0005815332.tif 000014
【図１４】
0005815332.tif 000015
【図１５】
0005815332.tif 000016
【図１６】
0005815332.tif 000017
【図１７】
0005815332.tif 000018
【図１８】
0005815332.tif 000019